(57)【要約】【課題】冬期の室内での調理による室内高湿状態や、冬期の夜中の寝室での高湿状態を解消して結露を防ぐことができ、しかも、それを換気力を高くせずに効果的に実現することができる調湿機能付き室内換気システムを提供する。【解決手段】室内換気システムに、循環式調湿機構が組み込まれている。循環式調湿機構は、室内２に開口する調湿用の吸込み口９と、同じく室内２に開口する調湿用の吹出し口１０と、室内２の空気を吸込み口９から吸い込み、吹出し口１０から室内２に吹き出す、室内空気の循環流れを形成するファン１２と、吸込み口９から吹出し口１０に至る室内空気の循環経路に備えられ、該循環空気を通す多孔質吸放湿材１１とが備えられたものからなっている。【選択図】      図１
2006097997.tif 000002
【特許請求の範囲】
【請求項１】
室内に開口する調湿用の吸込み口と、
同じく室内に開口する調湿用の吹出し口と、
室内の空気を吸込み口から吸い込み、吹出し口から室内に吹き出す、室内空気の循環流れを形成するファンと、
吸込み口から吹出し口に至る室内空気の循環経路に備えられ、該循環空気を通す多孔質吸放湿材と
が備えられた循環式調湿機構が組み込まれていることを特徴とする調湿機能付き室内換気システム。
【請求項２】
換気用ファンと調湿用のファンが個別運転可能に備えられると共に、室内に湿度センサーが設置され、室内の湿度が所定の一定値を越えて高湿状態になったとき、調湿用のファンが駆動を開始し、吸湿をして、放湿も終えた段階で、調湿用のファンを停止させる制御を行う制御手段が備えられている請求項１に記載の調湿機能付き室内換気システム。
【発明の詳細な説明】
【技術分野】
【０００１】
本発明は、調湿機能付き室内換気システムに関する。
【背景技術】
【０００２】
建物の高気密化によって室内を常時換気することが行われているが、冬期に室内で鍋などの調理すると、換気をしているにもかかわらず、室内が過度に高湿状態になってしまい、結露を生じさせてしまうことがある。また、冬期の夜中に寝室が高湿状態となって結露を生じることも経験するところである。
【発明の開示】
【発明が解決しようとする課題】
【０００３】
本発明は、上記のような問題点に鑑み、冬期の室内での調理による室内高湿状態や、冬期の夜中の寝室での高湿状態を解消して結露を防ぐことができ、しかも、それを換気力を高くせずに効果的に実現することができる調湿機能付き室内換気システムを提供することを課題とする。
【課題を解決するための手段】
【０００４】
上記の課題は、室内に開口する調湿用の吸込み口と、
同じく室内に開口する調湿用の吹出し口と、
室内の空気を吸込み口から吸い込み、吹出し口から室内に吹き出す、室内空気の循環流れを形成するファンと、
吸込み口から吹出し口に至る室内空気の循環経路に備えられ、該循環空気を通す多孔質吸放湿材と
が備えられた循環式調湿機構が組み込まれていることを特徴とする調湿機能付き室内換気システムによって解決される。
【０００５】
この換気システムでは、室内空気をファンで多孔質吸放湿材に通して循環させる循環式調湿機構が備えられているので、冬期に室内で鍋などの調理をしても、冬期の夜中の寝室であっても、室内の湿気を循環式調湿機構に備えられている多孔質吸放湿材がアクティブに吸湿し、冬期の室内での調理による室内高湿状態や、冬期の夜中の寝室での高湿状態が効果的に解消されて、結露を防ぐことができる。しかも、換気力を高める必要もないので、室内の温度を下げてしまうこともない。
【０００６】
そして、冬期において、室内での調理時や冬期の寝室の夜中の時間帯以外の時間帯には、室内は換気によって湿度を低くするが、循環式調湿機構における吸放湿材がアクティブに放湿を行い、換気によって湿度を下げた室内の加湿に役立つと共に、冬期の室内での調理による室内高湿状態や冬期の夜中の寝室での高湿状態の解消のために再生される。
また、上記のシステムにおいて、換気用ファンと調湿用のファンが個別運転可能に備えられると共に、室内に湿度センサーが設置され、室内の湿度が所定の一定値を越えて高湿状態になったとき、調湿用のファンが駆動を開始し、吸湿をして、放湿も終えた段階で、調湿用のファンを停止させる制御を行う制御手段が備えられているのもよい。その場合は、調湿用ファンの無駄な駆動を減らして電力消費量を低くすることができる。
【発明の効果】
【０００７】
本発明は、以上のとおりのものであるから、冬期の室内での調理による室内高湿状態や、冬期の夜中の寝室での高湿状態を解消して結露を防ぐことができ、しかも、それを換気力を高くせずに効果的に実現することができる。
【発明を実施するための最良の形態】
【０００８】
次に、本発明の実施最良形態を図面に基づいて説明する。
【０００９】
図１に示す実施形態の調湿機能付き室内換気システムにおいて、１は換気ユニットであり、該換気ユニット１は、室内２の天井部３に埋め込み状態に備えられており、換気ユニット１の下面部には換気用の吸込み口４が備えられると共に、換気用の排気口５は天井裏に備えられ、該排気口５にダクト６が接続され、ダクト６は図示しない屋外排気口に接続され、そして、室内２には給気口７が設けられて、換気ユニット１内の換気用ファン８が駆動することで、室内が第３種換気により破線矢印で示すように換気されるようになされている。
【００１０】
そして、上記の換気ユニット１には、次のような調湿機構が組み込まれている。即ち、換気ユニット１の下面部には、調湿用の吸込み口９と吹出し口１０とが備えられ、また、換気ユニット１内には、ゼオライトや炭等の多孔質材で構成された吸放湿材１１が備えられ、換気ユニット１内の調湿用のファン１２が駆動することで、実線矢印で示すように、室内空気が吸込み口９から吸い込まれて多孔質吸放湿材１１に強制的に通され、吹出し口１０を通じて室内２に戻される空気の循環が行われて室内２が調湿されるようになされている。
【００１１】
上記の調湿機能付き室内換気システムでは、冬期に、両ファン８，１２を同時駆動している状態で、室内２において鍋などの調理をすると、調理によって生じる湿気は、室内循環空気にのせられて多孔質吸放湿材１１に通され、多孔質吸放湿材１１でアクティブに吸湿されて、室内２が高湿状態になるのが効果的に抑制され、結露が防がれる。また、冬期の夜中の寝室においても、室内２の湿気は室内循環空気にのせられて多孔質吸放湿材１１に通され、多孔質吸放湿材１１でアクティブに吸湿されて、室内２が高湿状態になるのが効果的に抑制され、結露が防がれる。しかも、いずれの場合も、換気力を高める必要はないので、室内の温度が下がってしまうこともない。
【００１２】
そして、冬期において、室内２での調理時や冬期の寝室の夜中の時間帯以外の時間帯には、室内２は換気によって湿度を低くするが、循環式調湿機構における吸放湿材１１がアクティブに放湿を行い、換気によって湿度を下げた室内２の加湿に役立つと共に、冬期の室内２での調理による室内高湿状態や冬期の夜中の寝室での高湿状態の解消のために再生される。
【００１３】
上記の実施形態システムにおいて、室内２に湿度センサー１３を設置し、冬期において鍋などにより室内２の湿度が所定の一定値を越えて高湿状態になったとき、調湿用のファン１２が駆動を開始し、吸湿をして、放湿も終えた段階で、ファン１２を停止させる制御を行う制御手段が備えられていてもよい。その場合は、調湿用ファン１２の無駄な駆動を減らして消費電力を少なくすることができる。
【図面の簡単な説明】
【００１４】
【図１】実施形態の調湿機能付き室内換気システムを示す構造説明図である。
【符号の説明】
【００１５】
１…換気ユニット
２…室内
３…天井部
４…換気用吸込み口
５…換気用排気口
７…給気口
８…換気用ファン
９…調湿用吸込み口
１０…調湿用吹出し口
１１…多孔質吸放湿材
１２…調湿用ファン
【図１】
2006097997.tif 000003